(57)【要約】      （修正有）【課題】フレキシブル基板を自動的に組み立て、変形させないコネクタを提供する。【解決手段】コネクタは、ベース部１０と導電端子セットと作動部材とカバー４０とを含む。導電端子セット及び作動部材は、ベース部１０に回動可能に接続されることで、コネクタ１に開状態及び閉状態を実現させ、カバー４０がベース部に回動可能に接続され、カバーはベース部を回動中心として第１方向へ回動して導電端子セットを露出させた時、コネクタが開状態にあると共に軸部を介してベース部に押し当ててカバーをベース部に対応して１つの角度を維持させ、コネクタを開状態に保持させる。また、開状態の時、フレキシブル基板１００は、連接端に押し当てると共に作動部材の動きに連動することにより、カバーがベース部を回動中心として第２方向に回動させて導電端子セットを遮蔽し、コネクタを開状態から閉状態に変わらせる。【選択図】図１
2019192636.tif 000002
【特許請求の範囲】
【請求項１】
フレキシブル基板と接続するためのコネクタであって、前記コネクタは、
ベース部と、
前記ベース部に設けられた導電端子セットと、
前記ベース部に設けられた作動部材と、
前記ベース部に回動可能に接続されることで、前記コネクタに開状態及び閉状態を実現させ、連接端を含み、前記連接端が軸部を含み、かつ前記連接端が作動部材に連結することで、カバーが前記ベース部に回動可能に接続され、前記カバーは前記ベース部を回動中心として第１方向へ回動して前記導電端子セットを露出させた時、前記コネクタが開状態にあると共に前記軸部を介して前記ベース部に押し当てて前記カバーを前記ベース部に対応して１つの角度を維持させ、前記コネクタを前記開状態に保持させ、前記開状態の時、前記フレキシブル基板は前記連接端に押し当てると共に前記作動部材の動きに連動することにより、前記カバーが前記ベース部を回動中心として第２方向に回動させて前記導電端子セットを遮蔽し、前記コネクタを前記開状態から前記閉状態に変わらせるカバーと、
を含むことを特徴とする、コネクタ。
【請求項２】
前記自由端は、押し当て部を更に含み、前記コネクタが前記閉状態にある時、前記押し当て部が前記フレキシブル基板に押し付けることを特徴とする、請求項１に記載のコネクタ。
【請求項３】
前記作動部材は、弾性部を含み、かつ前記作動部材が前記弾性部を通じて前記連接端と接続し、前記コネクタが前記閉状態から前記開状態に変わった時、前記弾性部が前記カバーの押し当てを受けて変形され、前記カバーの前記弾性部に押し付ける力によって前記コネクタを前記開状態にさせることを特徴とする、請求項１に記載のコネクタ。
【請求項４】
前記弾性部は、弧状弾性片であり、前記連接端が本体を含み、前記軸部が前記本体の一端に位置し、かつ前記軸部が該弧状弾性片内に位置することを特徴とする、請求項３に記載のコネクタ。
【請求項５】
前記コネクタが前記開状態にある時、前記フレキシブル基板は前記本体に押し当てると共に前記弾性部の復元力により、前記カバーが前記ベース部を回動中心として回動させ、前記コネクタを前記開状態から前記閉状態に変わらせることを特徴とする、請求項４に記載のコネクタ。
【請求項６】
前記作動部材は、接続部を含み、かつ前記作動部材が前記接続部を通じて前記ベース部に接続することを特徴とする、請求項３に記載のコネクタ。
【請求項７】
前記弾性部は、弧状弾性片であり、前記弧状弾性片の一端が前記接続部に接続されることを特徴とする、請求項６に記載のコネクタ。
【請求項８】
前記接続部は、Ｕ字溝であり、前記ベース部がガイドレールを含み、前記Ｕ字溝が前記ガイドレールと接続されることを特徴とする、請求項６に記載のコネクタ。
【請求項９】
前記第１方向と前記第２方向は、反対方向であることを特徴とする、請求項１に記載のコネクタ。
【請求項１０】
前記第１方向は、反時計回り方向で、前記第２方向が時計回り方向であることを特徴とする、請求項９に記載のコネクタ。
【発明の詳細な説明】
【技術分野】
【０００１】
本発明は、コネクタに関し、特に、フレキシブル基板を自動的に組み立てると共にフレキシブル基板を抑え付けることで、変形させないコネクタに関する。
【背景技術】
【０００２】
フレキシブル基板とコネクタとの間を接続する組み立ては、フレキシブル基板材質の特性により容易に曲がり又は変形を発生する状況の制限を受ける。同時に、従来のフレキシブル基板と接続するコネクタのカバーで設計した押付力がフレキシブル基板の変形に抵抗することは不足するため、フレキシブル基板の組み立て時にフレキシブル基板の変形又は反りによる接触不良の問題が生じるため、改良の必要があった。
【発明の概要】
【発明が解決しようとする課題】
【０００３】
本発明の主要目的は、フレキシブル基板を自動的に組み立て、かつフレキシブル基板を押さえ付けることで、変形させないコネクタを提供する。
【課題を解決するための手段】
【０００４】
上記目的を達成するため、本発明のコネクタは、フレキシブル基板と接続する。コネクタは、ベース部と導電端子セットと作動部材とカバーとを含む。導電端子セット及び作動部材は、ベース部に設けられ、ベース部に回動可能に接続されることで、コネクタに開状態及び閉状態を実現させ、カバーが連接端を含み、連接端が軸部を含み、かつ連接端が作動部材に連結することで、カバーがベース部に回動可能に接続され、カバーはベース部を回動中心として第１方向へ回動して導電端子セットを露出させた時、コネクタが開状態にあると共に軸部を介してベース部に押し当ててカバーをベース部に対応して１つの角度を維持させ、コネクタを開状態に保持させる。また、開状態の時、フレキシブル基板は、連接端に押し当てると共に作動部材の動きに連動することにより、カバーがベース部を回動中心として第２方向に回動させて導電端子セットを遮蔽し、コネクタを開状態から閉状態に変わらせる。
【発明の効果】
【０００５】
作動部材の動きに連動することにより、カバーがベース部を回動中心として自動回動させ、本発明のコネクタが開状態から閉状態に変えらせ、フレキシブル基板を自動的に組み立て、同時にカバーと作動部材との間の押付力を利用してフレキシブル基板の曲がりや反りを低減する。
【図面の簡単な説明】
【０００６】
【図１】本発明に係るコネクタの使用状態を示す模式図である。
【図２】本発明に係るコネクタの構造を示す立体分解図である。
【図３】本発明に係るコネクタが開状態にある場合を示す模式図である。
【図４】本発明に係るコネクタが閉状態にある場合の断面図である。
【図５】本発明に係るコネクタが開状態にある場合の断面図である。
【図６】本発明に係るコネクタが開状態にあり、かつフレキシブル基板がカバーに押し当てる場合の断面図である。
【図７】本発明に係るコネクタは、フレキシブル基板に接続されて閉状態にある場合の断面図である。
【発明を実施するための形態】
【０００７】
審査官に本発明の技術内容をより理解してもらうため、以下、好ましい実施例を挙げて説明する。図１乃至図４を参照すると、各々本発明に係るコネクタの使用状態を示す模式図、構造を示す立体分解図、コネクタが開状態にある場合を示す模式図及びコネクタが閉状態にある場合の断面図である。
【０００８】
図１に示すように、本発明の一実施例によると、本発明に係るコネクタ１は、フレキシブル基板１００と接続するために用いられ、フレキシブル基板がフレキシブルプリント基板（ＦＰＣ）又はフレキシブルフラットケーブル（ＦＦＣ）とすることができるが、本発明は上記実施例に限られるものではない。本実施例において、図１乃至図３に示すように、本発明に係るコネクタ１は、ベース部１０と導電端子セット２０と２個の作動部材３０とカバー４０とを含み、導電端子セット２０と２個の作動部材３０がいずれもベース部１０に設けられ、かつ２つの作動部材３０が各々導電端子セット２０の両端に設けられ、カバー４０は作動部材３０を通じてベース部１０と回動可能に接続されることで、コネクタ１に開状態ｓ１及び閉状態ｓ２を実現させる。
【０００９】
図１乃至図３に示すように、コネクタ１は、閉状態ｓ２にある時、導電端子セット２０がカバー４０で遮蔽され、コネクタ１が閉状態ｓ２から開状態ｓ１に変わった時、カバー４０がベース部１０を回動中心として第１方向Ｄ１へ回動して導電端子セット２０を露出させ、この時カバー４０がベース部１０に対し１つの角度に維持し、コネクタ１が開状態ｓ１にある。本実施例において、第１方向Ｄ１は、時計回り方向である。
【００１０】
本実施例において、図１乃至図３に示すように、ベース部１０は、各々導電端子セット２０の両側に設けられる２本のガイドレール１１を含む。作動部材３０は、弾性部３１と接続部３２とを含み、弾性部３１が弧状弾性片であると共に接続部３２の上方に設けられ、かつ弾性部３１の一端が接続部３２と接続される。本実施例において、接続部３２は、Ｕ字溝で、かつ開口側が導電端子セット２０に向き、接続部３２の開口側がガイドレール１１と接続することで、作動部材３０のベース部１０上における組込みを完成させる。本発明の一具体的実施例によれば、作動部材３０は、金属プレス連続加工方式で製造される。カバー４０は、連接端４１と自由端４２とを含み、連接端４１が本体４１１と２つの軸部４１２とを更に含み、本実施例において、２つの軸部４１２は本体４１１の両端に位置し、かつ軸部４１２のベース部１０に対応する箇所にカム構造があり、軸部４１２の形状がこのカム構造に対応し、こうしてコネクタ１が開状態ｓ１にある時、軸部４１２及びベース部１０に対応するカム構造を通じて、軸部４１２を直立させ、かつ２つの軸部４１２が各々対応する弾性部３１と接続し、各軸部４１２が各弾性部３１の円弧状構造内に位置する。
【００１１】
以下、引き続き図１乃至図３及び図４乃至図７を参照すると、図４乃至図７は、本発明に係るコネクタが閉状態にある場合の断面図、コネクタが開状態にある場合の断面図、コネクタが開状態にあり、かつフレキシブル基板がカバーに押し当てる場合の断面図及びコネクタがフレキシブル基板に接続されて閉状態にある場合の断面図である。
【００１２】
図５及び図６に示すように、本実施例において、コネクタ１は、閉状態ｓ２から開状態ｓ１に変わった時、弾性部３１がカバー４０の押し当てを受けて変形されることで、弾性部３１を外向きに反ってベース部１０と略垂直状態になり、導電端子セット２０を露出させると共にカムの弾性部３１に押し付ける力により、コネクタ１を開状態ｓ１にさせる。本発明の一具体的実施例によれば、カバー４０及びベース部１０に対応のカム構造が各々設けられることで、コネクタ１が開状態ｓ１にある時の支持力を補強でき、カムの設置位置は特に制限されず、具体的に言えば、カバー４０上のカムは軸部４１２に近い箇所に設けられることができ、ベース部１０上のカムが既存の図面の見る角度から表示できない。
【００１３】
図５乃至図７に示すように、コネクタ１が開状態ｓ１にある時、フレキシブル基板１００は連接端４１に押し当てると共に弾性部材３１の復元力により、カバー４０がベース部１０を回動中心として第１方向Ｄ１と反対する第２方向Ｄ２へ回動させ、コネクタ１を開状態ｓ１から閉状態ｓ２に変わらせることができ、本実施例において、第２方向Ｄ２は反時計回り方向である。更に言えば、コネクタ１が開状態ｓ１にある時、フレキシブル基板１００は連接端４１の本体に押し当てて軸部４１２を弾性部３１の円弧状構造内に回動させ、弾性部３１がカバー４０で圧迫されて生じる復元力により、カバー４０をベース部１０に向けて回動させ、コネクタ１を開状態ｓ１から閉状態ｓ２に変わらせて、フレキシブル基板１００を自動的に組み立てる効果を奏することができる。また、本実施例において、自由端４２は、押し当て部４２１を更に含み、コネクタ１が閉状態ｓ２にある時、押し当て部４２１がフレキシブル基板１００に押し付けることで、フレキシブル基板１００の曲がりや反りを低減し、先行技術に存在する問題を解決する。
【００１４】
発明の詳細な説明の項においてなされた具体的な実施例は、あくまでも本発明の技術内容を明らかにするものであって、そのような具体例にのみ限定して狭義に解釈されるべきものではなく、本発明で主張する権利範囲は、特許請求の範囲内での記載を基準とする。
【符号の説明】
【００１５】
１ コネクタ
１０ ベース部
１１ ガイドレール
１００ フレキシブル基板
２０ 導電端子セット
２００ プリント回路基板
３０ 作動部材
３１ 弾性部
３２ 接続部
４０ カバー
４１ 連接端
４１１ 本体
４１２ 軸部
４２ 自由端
４２１ 押し当て部
Ｄ１ 第１方向
Ｄ２ 第２方向
ｓ１ 開状態
ｓ２ 閉状態
【図１】
2019192636.tif 000003
【図２】
2019192636.tif 000004
【図３】
2019192636.tif 000005
【図４】
2019192636.tif 000006
【図５】
2019192636.tif 000007
【図６】
2019192636.tif 000008
【図７】
2019192636.tif 000009